(57)【要約】【課題】  コンクリート塊の破砕物を骨材として使用して生コンクリートを製造する際に、該骨材とセメント、水等の生コンクリート構成材料が常に一定の配合割合でもって混練してなる生コンクリートを能率よく製造し得るようにする。【解決手段】  コンクリート塊を破砕装置によって破砕して複数個の貯留容器に選択的に破砕物を供給し、各貯留容器に一回分の生コンクリートの製造に必要な一定量の破砕物を貯留しておく。そして、生コンクリートの製造時には一つの貯留容器内の破砕物を全量、混練装置に供給すると共にこの破砕物の量に応じた所定量のセメントと水と混和剤を供給して攪拌する。この生コンクリートの製造によって空になった上記貯留容器内に一定量の破砕物を供給すると共に、上記生コンクリートの製造中に一定量のセメントと水と混和剤とを準備しておく。【選択図】    図５
2005178271.tif 000002
【特許請求の範囲】
【請求項１】
既存コンクリート塊の破砕物を骨材として用いる生コンクリートの製造方法であって、破砕部に既存コンクリート塊を投入して該既存コンクリート塊を生コンクリート用骨材として適した大きさに破砕する工程と、この破砕物を複数個の貯留容器のうちの一つの貯留容器に供給し、一定量の破砕物が該貯留容器に貯留されると次の貯留容器への破砕物の供給を切り替えることにより、複数個の貯留容器に順次一定量の破砕物を貯留する工程と、一つの貯留容器内の破砕物を全量とこの破砕物の量に応じた所定量の他のコンクリート構成材料とを混練する工程とからなることを特徴とする生コンクリートの製造方法。
【請求項２】
既存コンクリート塊の破砕物を骨材として用いる生コンクリートの製造装置であって、既存コンクリート塊の破砕装置と、この破砕装置によって破砕された一定量の破砕物を受け入れて貯留する複数個の貯留容器を備えた貯留装置と、これらの貯留容器のうち、一つの貯留容器内の破砕物を全量と他のコンクリート構成材料とを混練する混練装置とからなることを特徴とする生コンクリートの製造装置。
【請求項３】
破砕装置の破砕物落下口に破砕物搬送路の搬送始端部を臨ませていると共にこの破砕物搬送路の搬送終端を切替ダンパを有する投入管路を介して各貯留容器の上端の破砕物受入口に連通させてあり、さらに、各貯留容器に破砕物計量器を配設して該計量器による一定量の破砕物の収容の検出により上記切替ダンパを次の貯留容器の破砕物受入口側に切り替えるように構成していることを特徴とする請求項２に記載の生コンクリートの製造装置。
【請求項４】
複数個の貯留容器は回転中心軸の回りに旋回自在に並設されている一方、破砕装置の破砕物落下口からの破砕物を上記複数個の貯留容器における一つの貯留容器上に供給する管路を設けてあり、さらに、各貯留容器に破砕物計量器を配設して該計量器による一定量の破砕物の収容の検出により次の貯留容器を上記管路の下方にまで上記回転中心軸回りに移動させるように構成していることを特徴とする請求項２に記載の生コンクリートの製造装置。
【発明の詳細な説明】
【技術分野】
【０００１】
本発明は、コンクリート構造物の解体等によって発生するコンクリート塊を破砕し、この破砕物を骨材相当分として用いる生コンクリートの製造方法とその方法を実施するこめの装置に関するものである。
【背景技術】
【０００２】
近年、資源の有効利用の観点から既存のコンクリート構造物を解体した際に発生するコンクリート塊を破砕し、破砕することによって得られる細粒分と粗粒分との全てを生コンクリートの骨材として使用することが提案され、実用化されつつある。例えば、図６に示すように、既存のコンクリート塊Ａを破砕装置Ｂにバックホウ等によって投入して破砕し、この破砕物A'を所定量ずつ、複数個の容器Ｃに収容してストックヤードＤにストックしておき、生コンクリートの製造時には図７に示すように容器ＣをクレーンＥによってつり上げて混練装置Ｆに投入すると共にこの混練装置Ｆにセメントや水等の他のコンクリート構成材料を供給して攪拌することにより生コンクリートを製造する方法が知られている。
【０００３】
しかしながら、この生コンクリートの製造方法によると、コンクリート構造物を解体してなるコンクリート塊Ａを堆積しておく場所と共に、破砕装置Ｂによって破砕された破砕物A'を貯留している複数個の容器Ｃを一旦、保管しておくストック場所を必要とするばかりでなく、生コンクリートの製造時には容器Ｃを一個ずつ、クレーンＥによって吊り上げて混練装置Ｆに投入するといった煩雑な作業を必要するといった問題点がある。
【０００４】
そのため、特許文献１に記載されているように、コンクリート塊を破砕する破砕部の下方に混練部を配設し、上記破砕部に一定量のコンクリート塊を投入して破砕したのち、この一定量の破砕物全量を下方の混練部に排出すると共に該混練部に破砕物の量に応じた配合割合でもってセメントや水、混和剤等のコンクリート構成材料を添加して攪拌することにより生コンクリートを製造する方法が開発されている。
【０００５】
【特許文献１】特開２００１−１５０４２６号公報
【発明の開示】
【発明が解決しようとする課題】
【０００６】
ところが、この生コンクリートの製造方法によれば、破砕部に一定量のコンクリート塊を投入したのちは、混練部により所定量の生コンクリートの製造が行われてこの生コンクリートを混練部からミキサ車等の運搬車に供給するまで一旦、破砕部に対するコンクリート塊の投入を停止しておかなければならず、さらに、破砕部内でのコンクリート塊の全量の破砕が完了するまでは混練部による混練が行われないので、生コンクリートの製造効率が極めて悪く、ミキサ車等の運搬車の待機時間が長くなるといった問題点があった。本発明はこのような問題点を全面的に解消することができる生コンクリートの製造方法とその方法を実施するための装置を提供する。
【課題を解決するための手段】
【０００７】
本発明の生コンクリートの製造方法は、請求項１に記載したように、既存コンクリート塊の破砕物を骨材として用いる生コンクリートの製造方法であって、破砕部に既存コンクリート塊を投入して該既存コンクリート塊を生コンクリート用骨材として適した大きさに破砕する工程と、この破砕物を複数個の貯留容器のうちの一つの貯留容器に供給し、一定量の破砕物が該貯留容器に貯留されると次の貯留容器への破砕物の供給を切り替えることにより、複数個の貯留容器に順次一定量の破砕物を貯留する工程と、一つの貯留容器内の破砕物を全量とこの破砕物の量に応じた所定量の他のコンクリート構成材料とを混練する工程とからなることを特徴とする。
【０００８】
請求項２に係る発明は、上記生コンクリートの製造方法を実施するための装置であって、既存コンクリート塊の破砕装置と、この破砕装置によって破砕された一定量の破砕物を受け入れて貯留する複数個の貯留容器を備えた貯留装置と、これらの貯留容器のうち、一つの貯留容器内の破砕物を全量と他のコンクリート構成材料とを混練する混練装置とから構成している。
【０００９】
この請求項２に記載の生コンクリート製造装置において、請求項３に係る発明は、上記破砕装置の破砕物排出口に破砕物搬送路の搬送始端部を臨ませていると共にこの破砕物搬送路の搬送終端を切替ダンパを有する投入管路を介して各貯留容器の上端の破砕物受入口に連通させてあり、さらに、各貯留容器に破砕物計量器を配設して該計量器による一定量の破砕物の収容の検出により上記切替ダンパを次の貯留容器の破砕物受入口側に切り替えるように構成していることを特徴とする。
【００１０】
一方、請求項４に係る発明は、複数個の貯留容器は回転中心軸の回りに旋回自在に並設されている一方、破砕装置の破砕物落下口からの破砕物を上記複数個の貯留容器における一つの貯留容器上に供給する管路を設けてあり、さらに、各貯留容器に破砕物計量器を配設して該計量器による一定量の破砕物の収容の検出により次の貯留容器を上記管路の下方にまで上記回転中心軸回りに移動させるように構成していることを特徴とする。
【発明の効果】
【００１１】
本発明によれば、既存コンクリート塊の破砕装置によって破砕した破砕物を、複数個の貯留容器に順次、破砕物の供給を切り替えながら各貯留容器に一定量の破砕物を供給、貯留する一方、これらの貯留容器における一つの貯留容器内の破砕物を全量、該貯留容器から混練装置に供給してこの破砕物の量に応じた所定量の他のコンクリート構成材料と攪拌、混合して生コンクリートを製造するものであるから、混練装置によって生コンクリートを製造中においても上記複数個の貯留容器における空の貯留容器に一定量の破砕物の供給を行うことができると共に、混練装置による一定量の生コンクリートの製造後には直ちに該混練装置に上記複数個の貯留容器における一つの貯留容器から一定量の破砕物の供給と共にこの破砕物の量に応じた配合割合でもって他のコンクリート構成材料を供給することにより生コンクリートを製造することができ、従って、生コンクリートの製造が効率よく行えてミキサ車等の運搬車に対する一定量の生コンクリートの供給を順次、遅滞なく行うことができる。
【００１２】
さらに、各貯留容器には一回の生コンクリートの製造に使用される一定量の破砕物が貯留されていると共にこの破砕物全量と、この量に応じた量の他のコンクリート構成材料とを所定の配合割合でもって混練装置に供給するものであるから、常に一定の物性を有する一定量の生コンクリートを製造することができる。
【００１３】
破砕装置の破砕物排出口から排出されるコンクリート塊の破砕物は、破砕物搬送路の終端から投入管路内の切替ダンパによって各貯留容器に順次、一定量ずつ供給、貯留させるように構成しているので、破砕装置によってコンクリート塊を連続的に破砕しながら順次、各貯留容器に破砕物を供給することができると共に、各貯留容器に破砕物計量器を配設して該計量器による一定量の破砕物の収容の検出により上記切替ダンパを次の貯留容器の破砕物受入口側に切り替えるように構成しているので、各貯留容器内に常に一定量の破砕物を簡単且つ確実に供給、貯留させることができる。
【００１４】
また、破砕物搬送路から送られてくる破砕物を複数個の貯留容器に順次、一定量ずつ供給する装置としては、上記切替ダンパによることなく、請求項４に記載したように、複数個の貯留容器を回転中心軸の回りに旋回自在に並設しておいて、一つの貯留容器に一定量の破砕物が供給される毎に、これを計量器により検出して破砕物搬送路の搬送終端下に、次の空の貯留容器を順次移動させるように構成しておいても各貯留容器内に常に一定量の破砕物を簡単且つ確実に供給、貯留させることができる。
【発明を実施するための最良の形態】
【００１５】
本発明の具体的な実施の形態を図面について説明すると、図１は生コンクリートの製造方法を実施するための基本構成を示すもので、コンクリート構造物の解体等によって得られたコンクリート塊Ａを破砕するための破砕装置１の下方に、この破砕装置１によって破砕された骨材としての破砕物を一定量ずつ貯留しておく複数個の貯留容器2a1 、2a2 （図においては２個）を備えた貯留装置２を配設してあり、さらに、この貯留装置２の下方に該貯留装置２における一個の貯留容器2a1 又は2a2 から排出される破砕物全量と水やセメント等の他のコンクリート構成材料とを混練する混練装置３を配設してある。なお、破砕装置１としては、ジョークラッシャ、コーンクラッシャ、ロールクラシャ等を採用することができる。
【００１６】
破砕装置１によって破砕されたコンクリート塊の破砕物を上記貯留装置２における各貯留容器2a1 、2a2 内に供給するための破砕物搬送路４は管路からなり、この管路は上端開口部を破砕装置１の下端の破砕物落下口1aに臨ませている垂直な管路部4aと、この垂直な管路部3aの下端から分岐して各貯留容器2a1 、2a2 の上端にそれぞれ連通している分岐管路部4a1 、4a2 とからなり、垂直な管路部4aの下端部内には分岐管路部4a1 、4a2 に対して破砕物の供給を切り替えるための切替ダンパ５を配設している。また、各貯留容器2a1 、2a2 には、分岐管路部4a1 、4a2 を通じてそれぞれ投入される破砕物を計量する計量器6a1 、6a2 がそれぞれ付設されてあり、この計量器6a1 、6a2 によって貯留容器2a1 、2a2 内に一定量、即ち、一回の生コンクリートの製造に必要な量の破砕物が収容されたことを検出された場合に、該計量器6a1 、6a2 からダンパ制御部CPU を介して上記切替ダンパ５に信号を発してこの切替ダンパ５を切り替えるように構成している。
【００１７】
さらに、各貯留容器2a1 、2a2 の底面は扉によってそれぞれ開閉させられる排出口2b1 、2b2 に形成されてあり、これらの排出口2b1 、2b2 にホッパ７の上端開口部を臨ませていると共に該ホッパ７の下端を上記混練装置３上に臨ませている。また、この混練装置３には該混練装置３による一回の生コンクリートの製造に必要な量に計量された水とセメントと混和剤をそれぞれの供給管路を通じて供給するように構成している。
【００１８】
このように構成したので、破砕装置１によって破砕された破砕物を一定量、収容、貯留している一つの貯留容器2a1 の下端排出口を開放して該容器内の破砕物を全量、ホッパ６を通じて混練装置３内に投入すると共に、この破砕物の量に対して所定の生コンクリートを製造するための配合割合となるように計量した水とセメントと混和剤を混練装置３に投入して攪拌、混練することにより一定量の生コンクリートを製造する。なお、混和剤とは減水剤とＡＥ剤との混合剤である。
【００１９】
この混練装置３による生コンクリートの製造中において、上記空になった貯留容器2a1 には、破砕装置１によって破砕物されたコンクリート塊の破砕物が上記破砕物搬送路４の垂直な管路部4aから切替ダンパ５を介して該貯留容器2a1 に連通する分岐管路部4a1 を通じて一回分の生コンクリートの製造に必要な一定量だけ供給される。
【００２０】
そして、破砕装置１側からこの貯留容器2a1 内への破砕物の供給中において、上記混練装置３内での一回分の生コンクリートの製造が終了し、該生コンクリートをミキサ車等の運搬車に供給した場合には、次の貯留容器2a2 内の破砕物を全量、混練装置３内に投入すると共に上記同様にこの破砕物の量に対して所定の生コンクリートを製造するための配合割合となるように計量した水とセメントと混和剤を混練装置３に投入して攪拌、混練し、生コンクリートを製造する。
【００２１】
この際、混練装置３による生コンクリートの製造中において、空になった該貯留容器2a2 内に、上記同様にして破砕装置１によって破砕物されたコンクリート塊の破砕物を一定量、供給して貯留させる。破砕装置１にコンクリート構造物の解体等によって得られたコンクリート塊Ａを投入すると、このコンクリート塊Ａは生コンクリートの骨材としての使用に適した大きさの破砕物に破砕され、この破砕物は落下口1aから破砕物搬送路４の垂直な管路部4aに投入される。破砕装置１によるコンクリート塊Ａの破砕処理は連続的に行われて破砕物は垂直な管路部4a内に次々と投下されると、該管路部4aの下端部内に配設している切替ダンパ５によって二つの貯留容器2a1 、2a2 におけるいずれか一方の空の貯留容器2a1 に連通している分岐管路部4a1 側に流通し、この分岐管路部4a1 を通じて上記空の貯留容器2a1 内に供給される。
【００２２】
該貯留容器2a1 内に供給される破砕物の量は、計量器6a1 によって検出されてその量が一回の生コンクリートの製造に必要な量に達すると、該計量器6a1 から上記切替ダンパ５に信号が発せられて該切替ダンパ５が他方の分岐管路部4a2 側に切り替わり、他方の貯留容器2a2 が空の場合には破砕装置１によって破砕されたコンクリート塊の破砕物は垂直な管路部4aからこの分岐管路部4a2 内を通過して他方の貯留容器2a2 内に供給され、該貯留容器2a2 への供給量が上記一方の貯留容器2a1 と同量となった時に計量器6a2 から上記切替ダンパ５に信号が発せられて、該切替ダンパ５が一方の分岐管路部4a1 側に破砕物を供給できるように切り替わるものである。
【００２３】
こうして、混練装置３による一定量の生コンクリートの製造が終了して次の生コンクリートの製造を行う際に、上記貯留容器2a1 、2a2 のいずれか一方から直ちに一定量の破砕物を供給可能にしておくものである。
【００２４】
なお、この生コンクリートの製造方法を実施するための基本構成においては、破砕装置１の下方に２個の貯留容器2a1 、2a2 を並設した２連式タイプのものを示したが、３個以上の貯留容器を使用した複連式タイプとしておいてもよい。
【００２５】
図２は４連式タイプを示すもので、４個の貯留容器2a1 、2a2 、2a3 、2a4 を並設してなり、これらの貯留容器2a1 〜2a4 に破砕装置１側から一定量の破砕物を供給するための破砕物搬送通路４としては、上端開口部を破砕装置１の落下口1aに臨ませている垂直な管路部4aの下端から第１切替ダンパ5aを介して２本の第１分岐管路4a1 、4a2 を連続させ、これらの各分岐管路4a1 、4a2 の下端からそれぞれ第２切替ダンパ5b1 、5b2 を介して２本一組とする二組の第２分岐管路4b1 、4b2 及び4b3 、4b4 にそれぞれ連続させてあり、これらの各第２分岐管路4b1 〜4b4 の開口下端を上記４個の貯留容器2a1 、2a2 、2a3 、2a4 の上端開口部にそれぞれ臨ませてなるものである。
【００２６】
そして、４個の貯留容器2a1 〜2a4 の扉により開閉させられる下端排出口は2b1 〜2b4 は一つの共通するホッパ７を通じて上記実施の形態と同様に混練装置３の上端に臨ませている。なお、各貯留容器2a1 〜2a4 には計量器6a1 〜6a4 が付設されている。
【００２７】
このように構成したので、破砕物を一定量、収容、貯留している一つの貯留容器2a1 の下端排出口を開放して該容器内の破砕物を全量、ホッパ７を通じて混練装置３内に投入すると共に、この破砕物の量に対して所定の生コンクリートを製造するための配合割合となるように計量した水とセメントと混和剤を混練装置３に投入して攪拌、混練することにより一定量の生コンクリートを製造する。そして、この生コンクリートの製造中において、上記空になった貯留容器2a1 に、破砕装置１によって破砕物されたコンクリート塊の破砕物を一定量、供給する。
【００２８】
この場合、該貯留容器2a1 内が空になったことを計量器6a1 によって検出し、ダンパ制御部（図示せず）を介して上記第１、第２切替ダンパ5a、5b1 、5b2 に信号を発してこれらの第１、第２切替ダンパ5a、5b1 、5b2 を上記第１、第２分岐管路が貯留容器2a1 側に連通するように切り替えて破砕装置１から該貯留容器2a1 に破砕物を供給し、該破砕物が一回分の生コンクリートの製造に必要な一定量に達した時に計量器6a1 から信号を発して切替ダンパを切り替えることにより貯留容器2a1 への破砕物の供給を停止する。
【００２９】
混練装置３内での一定量の生コンクリートの製造が終了すると、次の貯留容器2a2 内に貯留している一定量の破砕物を全量、混練装置３内に投入して所定量の水やセメント等の他のコンクリート構成材料と共に上記同様にして混練して生コンクリートを製造し、この間に空になった貯留容器2a2 に破砕装置１によって破砕された破砕物を一定量、上記同様にして供給する。こうして、全ての貯留容器2a1 〜2a4 内に貯留している一定量の破砕物を混練装置３に生コンクリートの骨材として順次、投入して生コンクリートを製造するものである。
【００３０】
次に、図３、図４は切替ダンパを使用することなく複数個の貯留容器2a1 、2a2 ・・・に一定量の破砕物を供給、貯留させることができる装置を示すもので、この装置は、上記複数個の貯留容器2a1 、2a2 ・・・を回転中心軸2c回りに水平方向に旋回可能に並設していると共に上記破砕装置１の破砕物落下口1aに管路4'の上端開口部を臨ませ、この管路4'の下端を上記複数個の貯留容器2a1 、2a2 ・・・のうちの一つの貯留容器上に臨ませてあり、さらに、各貯留容器に破砕物計量器（図示せず）を配設していると共に各貯留容器の底部に扉によって開閉可能な排出口2b1 、2b2 ・・・を設け、いずれか一つの貯留容器の下方に混練装置３を設置してなるものである。
【００３１】
上記貯留装置の具体的な構造としては、中心部に上記回転中心軸2cを配設している円筒形状の容器2'内を、周方向に一定間隔毎に配設した仕切板2dによって区画することより隣接する仕切板2dで囲まれた空間部を貯留容器に形成してなるもので、この円筒形状の容器2'の下端外周面にラック2eを一体に設けて、該ラック2eにモータ2fの回転軸に固着しているピニオン2gを噛合させてモータ2fの駆動により貯留容器2a1 、2a2 ・・・を順次、上記管路4'の下方にまで移動させ、さらに、管路4'の直下とは異なった位置にある混練装置３の上方に一つの貯留容器を移動させるように構成している。
【００３２】
このように構成したので、破砕装置１によって破砕されたコンクリート塊Ａの破砕物は、管路4'を通じて一つの貯留容器2a1 内に供給され、その供給量が計量器6a1 によって一定量となったことを検出されるとモータ2fを作動させて次の貯留容器2a2 を上記管路4'の下方にまで移動させ、該貯留容器2a2 内に破砕物を一定量、供給する。以下、同様に、空の或いは空になった貯留容器に管路4'を通じて破砕装置１側から破砕物を供給する。
【００３３】
一方、混練装置３上に位置している貯留容器はその排出口を開放することによって貯留している破砕物を全量、混練装置３内に投入すると共に、この破砕物の量に対して所定の生コンクリートを製造するための配合割合となるように計量した水とセメントと混和剤を混練装置３に投入して攪拌、混練することにより一定量の生コンクリートを製造する。そして、この生コンクリートの製造中において、上記空になった貯留容器を管路4'の下方にまで移動させて破砕装置１により破砕されたコンクリート塊Ａの破砕物を管路4'を通じてこの貯留容器に一定量、供給する。なお、この貯留容器への破砕物の供給により、破砕物が貯留していない空の貯留容器がなくなると、管路4'の排出口を閉じると共に破砕装置１によるコンクリート塊Ａの破砕を停止させるように構成している。
【００３４】
混練装置３内での一定量の生コンクリートの製造が終了すると、次の貯留容器内に貯留している一定量の破砕物を全量、混練装置３内に投入して所定量の水やセメント等の他のコンクリート構成材料と共に上記同様にして混練して生コンクリートを製造し、この間に空になった貯留容器2a2 に破砕装置１によって破砕された破砕物を一定量、上記同様にして供給する。こうして全ての貯留容器2a1 、2a2 ・・・内に貯留している一定量の破砕物を混練装置３に生コンクリートの骨材として順次、投入して生コンクリートを製造するものである。
【００３５】
図５は、上記生コンクリートの製造方法を実施するための具体的な実施の形態を示すもので、破砕装置１から貯留装置２に至るまでの破砕物搬送路４としては第１コンベア41、第２コンベア42、第３コンベア43と上記切替ダンパ５を有する垂直な管路部4aと分岐管路部4a1 、4a2 とからなり、第１コンベア41上にはグリスリフィーダ８とジョークラッシャからなる一次破砕装置１が配設されていると共にこの第１コンベア41の搬送終端部上には鉄片や鉄片を含むコンクリート片を磁着して排除するための磁選機９が配設されている。
【００３６】
第３コンベア43の搬送始端部の上方には、上記第１コンベア41の搬送終端から落下する破砕物を受け入れる分粒装置10が配設されてあり、この分粒装置10のフィルター10a の網目を通過できない大径の破砕物を該フィルタ10a の傾斜下端から上記第２コンベア43上に排出すると共にこの第２コンベア42の搬送終端からバイブロフィーダ11を通じて上記一次破砕装置１よりも細かく破砕することができる二次破砕装置1'に供給するように構成し、さらに、この二次破砕装置1'によって破砕された破砕物を戻し路12を通じて上記第１コンベア41上に送り込むように構成している。
【００３７】
そして、第３コンベア43の搬送終端の下方に、上記切替ダンパ５を有する垂直な管路部4aと分岐管路部4a1 、4a2 を介して貯留装置２を配設していると共にこの貯留装置２を構成している各貯留容器2a1 、2a2 の下方に第４コンベア44を配設し、該第４コンベア44の搬送終端部を２軸強制練ミキサーからなる混練装置３上に臨ませている。
【００３８】
一方、一次、二次破砕装置１、1'や貯留装置２とは別な場所にセメントサイロ13、水タンク14、減水剤槽15、ＡＥ剤槽16が設置されてあり、セメントサイロ13からはスクリューフィーダ17を通じてセメント計量器18にセメントが供給されると共にこのセメント計量器18からセメント供給管路19を通じて上記混練装置３に一定量のセメントが供給されるように構成している。また、水タンク14は、圧送ポンプ20を有する水送り込み管路21を通じて水計量器22に水を送給すると共にこの水計量器22から水供給管路23を通じて上記混練装置２に一定量の水を供給するように構成している。
【００３９】
さらに、減水剤槽15、ＡＥ剤槽16は、それぞれ圧送ポンプ24、25を有する送り込み管路26、27を通じて共通の混和剤計量器28に減水剤とＡＥ剤を送り込むと共にこの混和剤計量器28から混和剤供給管路29を通じて上記混練装置２に一定量の混和剤を供給するように構成している。
【００４０】
なお、必要に応じて適所に砂計量ホッパ30を設置し、この砂計量ホッパ30から一定量の砂を第５コンベア45を通じて上記第４コンベア44に供給するように構成している。
【００４１】
このように構成した装置によって生コンクリートを製造するには、コンクリート構造物の解体等によって得られた既存のコンクリート塊をグリズリフィーダ８に投入すると、このグリズリフィーダ８に張設しているスクリーン8aの網目を通過した小径のコンクリート片は下方の第１コンベア41上に載せられる一方、スクリーン8aを通過できない大径のコンクリート塊はスクリーン8aの傾斜下端から破砕装置１に投下され、この破砕装置１によって所定大きさ以下に破砕されたのち、該破砕装置１の落下口1aから上記第１コンベア41上に落下する。そして、この第１コンベア41によって、上記小径のコンクリート片と破砕装置１で破砕された破砕物（以下、単にこれらを破砕物という）は第１コンベア41の搬送終端から分粒装置10に投入される。この投入時に、第１コンベア41の搬送終端部上に配設している磁選機９によって鉄片や鉄片が混入している破砕物が除去される。
【００４２】
分粒装置10に破砕物が投入されると、この分粒装置10のスクリーン10a の網目を通過した破砕物は第３コンベア43上に載せられる。このスクリーン10a の網目の大きさは生コンクリート用の骨材として使用可能な骨材の最大限の大きさに形成されてあり、従って、このスクリーン10a を通過した破砕物は粗骨材及び細骨材として使用することができる。一方、スクリーン10a を通過できない大径の破砕物は、スクリーン10a の傾斜下端から第２コンベア42上に排出され、この第２コンベア42からバイブロフィーダ11を通じて二次破砕装置1'に投入される。
【００４３】
二次破砕装置1'によって破砕処理された破砕物は、戻し路12を通じて再び上記第１コンベア41上に送られてこの第１コンベア41から分粒装置10に投入され、上記同様に、この分粒装置10により骨材として適した破砕物と骨材よりも大径の破砕物とに分粒されて適しない破砕物は再度、二次破砕装置1'側に送られて破砕処理され、これを繰り返すことによって全ての破砕物を生コンクリート用の骨材として適した大きさの破砕物に処理して分粒装置10から第３コンベア43上に投下、供給する。
【００４４】
こうして骨材の大きさに処理された破砕物は、第３コンベア43から切替ダンパ５を設けている管路部4a内に投入され、切替ダンパ５を空の貯留容器2a1 又は2a2 に連通する分岐管路部4a1 又は4a2 側に切り替えることによって空になっている貯留容器2a1 又は2a2 、或いは、空になった貯留容器2a1 又は2a2 に破砕物を供給して貯留させる。この際、上述したように、各貯留容器2a1 、2a2 には計量器6a1 、6a2 が付設されてあり、貯留容器2a1 、2a2 に一回分の生コンクリートの製造に必要な量が供給されると、検出器6a1 、6a2 からその量に達した信号を発してダンパ制御部（図示せず）を介して切替ダンパ５を切り替えて該貯留容器2a1 又は2a2 に対する破砕物の供給を停止する。なお、貯留装置２の構造としては、このような２連式タイプに限らず、上述したように４連式タイプ等、複数の貯留容器を備えた装置であってもよく、また、第３コンベア43から垂直管路部4aを通じての各貯留容器に対する破砕物の供給は、切替ダンパ５によることなく、上記図３、図４に示すような装置であってもよく、さらは、その他の適宜な構造のものを採用してもよい。
【００４５】
そして、生コンクリートの製造時には、破砕物を一定量、貯留している一つの貯留容器2a1 又は2a2 の下端排出口を開放すると、該貯留容器2a1 又は2a2 内の破砕物が全量、第４コンベア44上に投下されたこの第４コンベア44により混練装置３に投入される。さらに、該混練装置３に、セメント計量器18と水計量器23及び混和剤計量器28から一回の生コンクリートの製造に必要な量のセメント、水及び混和剤も投入されて上記骨材としての破砕物と共に混練することにより生コンクリートが製造される。
【００４６】
混練装置３にセメントや水、混和剤が供給された直後に、或いは、この生コンクリートの製造中に、セメントサイロ13からスクリューフィーダ17によってセメントを上記セメント計量器18に供給して一回の生コンクリートの製造に要する一定量の破砕物の量に応じた配合割合となるように一定量のセメントを計測し、このセメント計量器18内で次の生コンクリートの製造に待機させておく。同様に、水や減水剤、ＡＥ剤も水タンク14や減水剤槽15、ＡＥ剤槽16から圧送ポンプ20、24、25によって送り込み管路26、27を通じて上記水計量器22、混和剤計量器28にそれぞれ供給され、一回の生コンクリートの製造に要する一定量の破砕物の量に応じた配合割合となるように計測されてそれぞれの計量器22、28内で次の生コンクリートの製造に待機させておく。
【００４７】
混練装置３による一回分の生コンクリートの製造が行われて該混練装置３の排出ホッパからミキサ車等の運搬車Ｂに生コンクリートを収容させたのち、再び、破砕物を一定量、貯留している一つの別な貯留容器から破砕物を全量、上記同様に混練装置３に供給すると共に、セメント計量器18、水計量器22、混和剤計量器28からこれらの計量器内に滞留させておいた一回分の生コンクリートの製造に必要な量のセメントと水、混和剤も混練装置３に供給して次の一定量の生コンクリートを製造する。
【００４８】
そして、この生コンクリートの製造が終わるまでに、上記同様にセメント計量器18、水計量器22、混和剤計量器28に一回分の生コンクリートの製造に必要な量のセメントと水、混和剤を収容して準備しておくと共に、生コンクリートの製造時には一定量の破砕物を貯留している貯留容器が少なくとも１つ、存在するように空になった貯留容器に一定量の破砕物を供給、貯留させておくものである。
【図面の簡単な説明】
【００４９】
【図１】生コンクリートの製造装置の基本構造を示す簡略縦断面図。
【図２】貯留容器を４連式にした場合の簡略縦断面図。
【図３】別な構造の貯留装置の簡略斜視図。
【図４】その縦断面図。
【図５】具体的な生コンクリート製造装置の全体図。
【図６】貯留容器をストックする従来例を示す簡略図。
【図７】その貯留容器から破砕物を混練装置に投下している状態の簡略図。
【符号の説明】
【００５０】
１  破砕装置
２  貯留装置
2a1 、2a2   貯留容器
３  混練装置
４  破砕物搬送路
4a  垂直な管路部
4a1 、4a2   分岐管路部
５  切替ダンパ
6a1 、6a2   計量器
【図１】
2005178271.tif 000003
【図２】
2005178271.tif 000004
【図３】
2005178271.tif 000005
【図４】
2005178271.tif 000006
【図５】
2005178271.tif 000007
【図６】
2005178271.tif 000008
【図７】
2005178271.tif 000009